(57)【要約】【課題】防水性の低下が抑制された防水部材を提供する。【解決手段】筐体（２００）の連通孔（２０１）に設けられる防水部材（１００）であって、呼吸フィルター（１０）を連通孔に設置する設置部材（２０）を有し、設置部材は、連通孔に設けられ、開口部が呼吸フィルターで閉塞された筒部（３１）と、筒部における筐体内部の端部に設けられた鉤部（３２）と、筒部における筐体外部の端部に設けられた環状部（３３、３６、３７、４１、４６）と、環状部における筐体との対向面、筐体における環状部との対向面、及び、筐体の外部に位置する筒部の外側面（３１ａ）で構成された環状空間（３５）に設置されたＯリング（３４）と、を有し、Ｏリングは、鉤部が筐体に接触して撓み、応力が生じることで、環状部と筐体に狭持されており、環状空間を閉塞することで、Ｏリングを外部雰囲気から隔離する防水リング（５０）を有する。【選択図】図１
2014123625.tif 000002
【特許請求の範囲】
【請求項１】
筐体（２００）の内部と外部とを連通する連通孔（２０１）に設けられる防水部材であって、
防水性と通気性を備える呼吸フィルター（１０）と、
該呼吸フィルターを前記連通孔に設置する設置部材（２０）と、を有し、
該設置部材は、
前記連通孔を構成する壁面（２０１ａ）と自身の外側面（３１ａ）とが接触するように前記連通孔に設けられ、２つある開口部の内の一方が前記呼吸フィルターによって閉塞された筒部（３１）と、
該筒部が有する、２つの端部の内、前記筐体の内部に位置する端部の外側面に設けられた鉤部（３２）と、
前記筒部が有する、２つの端部の内、前記筐体の外部に位置する端部の外側面に設けられた環状部（３３、４１、４６、３６、３７）と、
前記環状部における前記筐体の外壁面（２００ｂ）と対向する環状下面（３３ａ）、前記筐体の外壁面における前記環状下面と対向する環状外壁面（２００ｃ）、及び、前記筒部の外壁における前記筐体の外部に位置する環状外側面（３１ｃ）によって構成された環状空間（３５）に設置されたＯリング（３４）と、を有し、
前記Ｏリングは、前記鉤部が前記筐体の内壁面（２００ａ）に接触して撓み、応力が生じることで、前記環状下面と、前記環状外壁面に接触し、前記環状部と前記筐体によって狭持されており、
前記環状空間における環状の開口部を閉塞することで、前記Ｏリングを外部雰囲気から隔離する防水リング（５０）を有することを特徴とする防水部材。
【請求項２】
前記環状部（４１、３６）の外環面（４１ａ、３６ａ）における前記防水リングとの接触面は、前記環状部の外径が前記筐体に向かうに従って短くなるように、傾斜していることを特徴とする請求項１に記載の防水部材。
【請求項３】
前記環状部は、
前記筒部に自身の内環面が連結される第１環状部（３３）と、
前記第１環状部の外環面（３３ｂ）に自身の内環面が連結され、前記第1環状部の連結部位から前記筐体に向かって延びた筒状を成す第２環状部（４１、３６）と、
前記第２環状部における前記筐体側の端部の外縁部に自身の内環面が連結された第３環状部（４６、３７）と、を有し、
前記防水リングは前記第２環状部の外環面（４１ａ、３６ａ）、及び、前記第３環状部における前記筐体との接触面（４６ａ、３７ａ）の裏面（４６ｂ、３７ｂ）それぞれに接触しており、防水リングの弾性変形により生じる応力によって、前記第３環状部における筐体との接触面（４６ａ、３７ａ）が前記筐体の外壁面と面接触していることを特徴とする請求項１又は請求項２に記載の防水部材。
【請求項４】
前記防水リングと前記第２環状部は面接触していることを特徴とする請求項３に記載の防水部材。
【請求項５】
前記第２環状部における前記防水リングとの接触面と、前記防水リングにおける前記第２環状部との接触面それぞれは同一形状となっており、
前記第２環状部における前記防水リングとの接触面は、前記防水リングにおける前記第２環状部との接触面側に向かって凸、若しくは、前記防水リングにおける前記第２環状部との接触面は、前記第２環状部における前記防水リングとの接触面側に向かって凸となっていることを特徴とする請求項４に記載の防水部材。
【請求項６】
前記防水リングと前記第３環状部は面接触していることを特徴とする請求項３〜５いずれか１項に記載の防水部材。
【請求項７】
前記第３環状部における前記防水リングとの接触面と、前記防水リングにおける前記第３環状部との接触面それぞれは同一形状となっており、
前記第３環状部における前記防水リングとの接触面は、前記防水リングにおける前記第３環状部との接触面側に向かって凸、若しくは、前記防水リングにおける前記第３環状部との接触面は、前記第３環状部における前記防水リングとの接触面側に向かって凸となっていることを特徴とする請求項６に記載の防水部材。
【請求項８】
前記防水リングと前記環状部は面接触していることを特徴とする請求項１又は請求項２に記載の防水部材。
【請求項９】
前記環状部における前記防水リングとの接触面と、前記防水リングにおける前記環状部との接触面それぞれは同一形状となっており、
前記環状部における前記防水リングとの接触面は、前記防水リングにおける前記環状部との接触面側に向かって凸、若しくは、前記防水リングにおける前記環状部との接触面は、前記環状部における前記防水リングとの接触面側に向かって凸となっていることを特徴とする請求項８に記載の防水部材。
【請求項１０】
前記防水リングと前記筐体は、面接触していることを特徴とする請求項８又は請求項９に記載の防水部材。
【請求項１１】
前記環状部は、
前記筒部に自身の内環面が連結される第１環状部（３３）と
前記第１環状部の外環面（３３ｂ）に自身の内環面が連結され、前記第1環状部との連結部位から前記筐体に近づく方向、及び、前記筐体から離れる方向それぞれに向かって延びた筒状を成す第２環状部（４１、３６）と、を有し、
前記第２環状部における前記第１環状部から前記筐体に近づく方向に延びた部位の外環面（４１ａ，３６ａ）は、前記防水リングと接触しており、
前記第２環状部における前記第１環状部から前記筐体から離れる方向に延びた部位の外環面は、自身の外径が前記筐体から離れるに従って短くなるように、傾斜していることを特徴とする請求項１〜１０いずれか１項に記載の防水部材。
【請求項１２】
前記防水リングと接触する前記環状部の外環面は、前記環状部の外径が前記筐体に向かうにしたがって短くなるように、傾斜しており、
前記筐体の外壁面に直交する方向において、前記環状部と前記防水リングの全てとが対向していることを特徴とする請求項１〜１１いずれか１項に記載の防水部材。
【請求項１３】
前記環状部の外環面における前記防水リングとの接触面よりも前記筐体から離れた部位に、環状の庇（４７）が設けられていることを特徴とする請求項１〜１２いずれか１項に記載の防水部材。
【請求項１４】
前記防水リングの外部環境に晒される外面（５０ｃ、５０ｄ）と、前記防水リングの前記環状部との接触面との境界の内、最も前記筐体から離れた境界（５０ｅ）から、前記防水リングの外面は、前記筐体の外壁面に向かい、且つ、前記連通孔から離れるように傾斜していることを特徴とする請求項１〜１３いずれか１項に記載の防水部材。
【請求項１５】
前記防水リングは、前記Ｏリングよりも、水によって劣化し難い材料から成ることを特徴とする請求項１〜１4いずれか１項に記載の防水部材。
【請求項１６】
前記Ｏリングは、前記防水リングよりも、弾性変形し易い材料から成ることを特徴とする請求項１〜１５いずれか１項に記載の防水部材。
【発明の詳細な説明】
【技術分野】
【０００１】
本発明は、筐体の内部と外部とを連通する連通孔に設けられる防水部材に関するものである。
【背景技術】
【０００２】
従来、例えば特許文献１に示されるように、ケース内に電子部品郡が収容されてなる電力変換装置が知られている。ケース側壁には、ケース内外と連通した通気孔と、ケース側壁に対して突出した防水壁と、が形成されている。上記した通気孔に通気栓が配置され、通気栓は、防水壁によって囲まれている。この防水壁によって、ケース側壁に沿って飛んでくる水が、通気栓に直接当たることが防止されている。
【０００３】
通気栓は、通気孔に設けられる挿通部と、挿通部のケース外側端部を覆うカバーと、を備えている。挿通部は、円筒状に形成されており、その両端に爪部と支持部とが形成されている。爪部は、ケース内側に位置し、円筒状の挿通部の周縁から放射状に延設されており、支持部は、ケースの外側に位置し、挿通部の周縁全体から径外方に延設されている。爪部は、通気栓の通気孔への挿入時に、軸心方向に撓むようになっている。
【０００４】
支持部のケース側には環状凹溝が全周に亘って形成されており、この溝にケース側壁と密接するゴム製のＯリングシールが配設されている。また、支持部の反ケース側には、通気性及び防水性を備えた部材により成る通気フィルタが接着配置され、該通気フィルタによって、挿通部の開口が覆われている。
【０００５】
カバーは、通気フィルタと対向する対向壁と、対向壁の周縁から連続して支持部の周縁と結合するカバー側壁と、を有している。
【０００６】
上記したように、通気栓は、防水壁によって囲まれている。これにより、通気栓に向かって飛んでくる水が、Ｏリングシールに直接当たることが防止されている。
【先行技術文献】
【特許文献】
【０００７】
【特許文献１】特開２０１１−１４７２６１号公報
【発明の概要】
【発明が解決しようとする課題】
【０００８】
ところで、特許文献１に記載の構成では、通気栓と防水壁との間に、空隙が生じる。この空隙は、ケース側壁に直交する高さ方向に開口しており、Ｏリングと外部雰囲気とを連通している。したがって、高さ方向に流動する水が通気栓に当たると、上記した通気栓と防水壁との間の空隙に水が浸入し、Ｏリングに水が接触する。これにより、Ｏリングを劣化する虞がある。Ｏリングが劣化すると、挿通部と通気孔との間の微小な隙間を介して、ケース内部に水が浸入する虞がある。
【０００９】
そこで、本発明は上記問題点に鑑み、Ｏリングの劣化が抑制されることで、防水性の低下が抑制された防水部材を提供することを目的とする。
【課題を解決するための手段】
【００１０】
上記した目的を達成するために、本発明は、筐体（２００）の内部と外部とを連通する連通孔（２０１）に設けられる防水部材であって、防水性と通気性を備える呼吸フィルター（１０）と、該呼吸フィルター（１０）を連通孔に設置する設置部材（２０）と、を有し、設置部材は、連通孔を構成する壁面（２０１ａ）と自身の外側面（３１ａ）とが接触するように連通孔に設けられ、２つある開口部の内の一方が呼吸フィルターによって閉塞された筒部（３１）と、該筒部が有する、２つの端部の内、筐体の内部に位置する端部の外側面に設けられた鉤部（３２）と、筒部が有する、２つの端部の内、筐体の外部に位置する端部の外側面に設けられた環状部（３３、４１、４６、３６、３７）と、環状部における筐体の外壁面（２００ｂ）と対向する環状下面（３３ａ）、筐体の外壁面における環状下面と対向する環状外壁面（２００ｃ）、及び、筒部の外壁における筐体の外部に位置する環状外側面（３１ｃ）によって構成された環状空間（３５）に設置されたＯリング（３４）と、を有し、Ｏリングは、鉤部が筐体の内壁面（２００ａ）に接触して撓み、応力が生じることで、環状下面と、環状外壁面に接触し、環状部と筐体によって狭持されており、環状空間における環状の開口部を閉塞することで、Ｏリングを外部雰囲気から隔離する防水リング（５０）を有することを特徴とする。
【００１１】
このように本発明においては、防水リング（５０）により環状空間（３５）の開口部が閉塞され、環状空間（３５）に設置されたＯリング（３４）が外部雰囲気から隔離されている。これにより、Ｏリング（３４）と水との接触が抑制され、Ｏリング（３４）の劣化が抑制される。この結果、筒部（３１）と連通孔（２０１）との間の微小な隙間を介して、筐体（２００）内部に水が浸入することが抑制され、防水性の低下が抑制される。
【００１２】
上記したように、環状空間（３５）の開口部が防水リング（５０）によって閉塞される。そのため、環状空間（３５）の開口部を閉塞するための部材（防水壁）を筐体（２００）に形成しなくともよくなる。したがって、防水壁が筐体に形成された構成とは異なり、本発明に記載の防水部材（１００）が適用される筐体（２００）の形状が限定されなくなる。
【００１３】
環状部（４１、３６）の外環面（４１ａ、３６ａ）における防水リングとの接触面は、環状部の外径が筐体に向かうに従って短くなるように、傾斜している構成が好適である。これによれば、防水リング（５０）を環状部（４１、３６）の外環面（４１ａ、３６ａ）に押し付ける方向の高圧水が防水リング（５０）に当たると、防水リング（５０）と接触する外環面（４１ａ、３６ａ）の傾斜のために、防水リング（５０）は、外環面（４１ａ、３６ａ）に向かう方向、及び、外環面（４１ａ、３６ａ）の傾斜に沿って筐体（２００）へと向かう方向それぞれに押し付けられる。このため、防水リング（５０）が、環状部（４１、３６）と筐体（２００）それぞれから離れることが抑制される。これにより、Ｏリング（３４）と水との接触が抑制され、Ｏリング（３４）の劣化による、防水性の低下が抑制される。
【００１４】
環状部は、筒部に自身の内環面が連結される第１環状部（３３）と、第１環状部の外環面（３３ｂ）に自身の内環面が連結され、第１環状部の連結部位から筐体に向かって延びた筒状を成す第２環状部（４１、３６）と、第２環状部における筐体側の端部の外縁部に自身の内環面が連結された第３環状部（４６、３７）と、を有し、防水リングは第２環状部の外環面（４１ａ、３６ａ）と第３環状部における筐体との接触面（４６ａ、３７ａ）の裏面（４６ｂ、３７ｂ）それぞれに接触しており、防水リングの弾性変形により生じる応力によって、第３環状部の筐体との接触面が筐体の外壁面と面接触している構成が好適である。
【００１５】
このように本発明によれば、環状空間（３５）の開口部が、第２環状部（４１、３６）によって囲まれ、防水リング（５０）の弾性変形により生じる応力によって、第３環状部（４６、３７）が、筐体（２００）の外壁面（２００ｂ）と面接触され、Ｏリング（３４）が外部雰囲気から隔離されている。
【００１６】
上記構成においては、外部から環状空間（３５）への水の浸入の可能性がある箇所は、第３環状部（４６、３７）と筐体（２００）との接触箇所の１箇所となっている。これに対して、環状部が第１環状部のみを有し、防水リングが、第１環状部の外環面、及び、筐体の外壁面それぞれと接触して環状空間を閉塞する構成では、外部から環状空間への水の浸入の可能性がある箇所が、２箇所となる。すなわち、防水リングと第１環状部の外環面との接触箇所、及び、防水リングと筐体の外壁面との接触箇所の２箇所となる。これに対して、上記構成では、外部からの水の浸入の可能性が考えられる箇所が１箇所となっている。そのため、上記比較構成と比べて、環状空間（３５）への水の浸入箇所が少なくなっており、環状空間（３５）への水の浸入が抑制される。
【００１７】
さらに、上記したように、第３環状部（４６、３７）と筐体（２００）の外壁面（２００ｂ）とは面接触している。このため、両者が線接触した構成と比較して、環状空間（３５）と外部空間とを隔離する距離が長くなり、環状空間（３５）への水の浸入が抑制される。これにより、Ｏリング（３４）と水との接触が抑制され、Ｏリング（３４）の劣化による、防水性の低下が抑制される。
【図面の簡単な説明】
【００１８】
【図１】第１実施形態に係る防水部材の概略構成を示す断面図である。
【図２】第２実施形態に係る防水部材の概略構成を示す断面図である。
【図３】第３実施形態に係る防水部材の概略構成を示す断面図である。
【図４】第３実施形態に係る防水部材の変形例を示す断面図である。
【図５】第４実施形態に係る防水部材の概略構成を示す断面図である。
【図６】第４実施形態に係る防水部材の変形例を示す断面図である。
【図７】第４実施形態に係る防水部材の変形例を示す断面図である。
【図８】第４実施形態に係る防水部材の変形例を示す断面図である。
【図９】第５実施形態に係る防水部材の概略構成を示す断面図である。
【図１０】第５実施形態に係る防水部材の変形例を示す断面図である。
【図１１】第６実施形態に係る防水部材の概略構成を示す断面図である。
【図１２】第６実施形態に係る防水部材の変形例を示す断面図である。
【図１３】第７実施形態に係る防水部材の概略構成を示す断面図である。
【図１４】第７実施形態に係る防水部材の変形例を示す断面図である。
【図１５】第８実施形態に係る防水部材の概略構成を示す断面図である。
【図１６】第８実施形態に係る防水部材の変形例を示す断面図である。
【図１７】第８実施形態に係る防水部材の変形例を示す断面図である。
【図１８】第８実施形態に係る防水部材の変形例を示す断面図である。
【図１９】第８実施形態に係る防水部材の変形例を示す断面図である。
【図２０】防水部材の変形例を示す断面図である。
【図２１】防水部材の変形例を示す断面図である。
【図２２】防水部材の変形例を示す断面図である。
【図２３】防水部材の変形例を示す断面図である。
【発明を実施するための形態】
【００１９】
以下、本発明の実施の形態を図に基づいて説明する。
（第１実施形態）
図１に基づいて、本実施形態に係る防水部材を説明する。なお、図１においては、防水部材１００のほかに筐体２００を図示している。また、図１では便宜上、後述する筒部３１と鉤部３２の境界、及び、筒部３１と環状部３３の境界それぞれを破線で示し、後述する連通孔２０１を２点鎖線で示し、後述する環状空間３５を一点鎖線で囲って示している。
【００２０】
以下においては、互いに直交する３方向をｘ方向、ｙ方向、ｚ方向と示す。そして、ｘ方向とｙ方向によって規定される平面をｘ−ｙ平面、ｘ方向とｚ方向によって規定される平面をｘ−ｚ平面と示す。
【００２１】
図１に示すように、筐体２００には、筐体２００の内部と外部とを連通する連通孔２０１が形成されており、この連通孔２０１に防水部材１００が設けられている。連通孔２０１の軸方向はｙ方向に沿っており、この軸方向は、防水部材１００をｙ方向に貫く中心軸と一致している。以下においては、図１に一点鎖線で示すように、連通孔２０１の軸方向、及び、防水部材１００をｙ方向に貫く中心軸それぞれをまとめて、基準線ＢＬと示す。ちなみに、防水部材１００は、基準線ＢＬを含むｘ−ｙ平面において、基準線ＢＬを介して、線対称な形状となっている。
【００２２】
防水部材１００は、呼吸フィルター１０と、設置部材２０と、防水リング５０と、を有する。呼吸フィルター１０は、防水性と通気性を備える材料から成り、筐体２００の内部と外部とを連通しつつ防水するものである。設置部材２０は、呼吸フィルター１０を連通孔２０１に設置しつつ、呼吸フィルター１０を保護するものである。防水部材１００の特徴点は、防水リング５０であるが、この点については、防水部材１００の基本構成要素を説明した後に詳説する。
【００２３】
設置部材２０は、呼吸フィルター１０を連通孔２０１に設置する挿通部３０と、呼吸フィルター１０を保護する保護部４０と、を有する。挿通部３０は、筒部３１と、鉤部３２と、環状部３３と、Ｏリング３４と、を有する。筒部３１は、連通孔２０１を構成する壁面２０１ａと自身の外側面３１ａとが面接触するように、連通孔２０１に設けられるものである。これにより筐体２００の外部と内部とが、筒部３１の内側面３１ｂによって構成される孔を介して連通可能となっている。筒部３１は、２つの開口部を有するが、これら２つの開口部の内、筐体２００の外部に位置する開口部が、上記した呼吸フィルター１０によって閉鎖されている。これにより、筐体２００の内部と外部が、呼吸フィルター１０と筒部３１を介して連通可能となっている。
【００２４】
鉤部３２は、筒部３１が有する２つの端部の内、筐体２００の内部に位置する端部の外側面３１ａに設けられるものである。鉤部３２は、環状を成しており、その内環面が筒部３１に連結され、その外環面が筐体２００の内部雰囲気に晒されている。また、鉤部３２における筐体２００と対向する対向面３２ａはｘ−ｚ平面に沿う平面形状を成し、筐体２００の内壁面２００ａと面接触している。図１に示すように、鉤部３２の外径は、基準線ＢＬに沿い、連通孔２０１から筐体２００の内部に向かう方向（以下、内方向と示す）において、所定距離一定となった後、徐々に短くなっている。そのため、鉤部３２の外環面の一部は、内方向において外径が短くなるように、傾斜している。
【００２５】
環状部３３は、筒部３１が有する２つの端部の内、筐体２００の外部に位置する端部の外側面３１ａに設けられるものである。環状部３３は、その名の通り環状を成しており、その内環面が筒部３１に連結され、その外環面３３ｂが保護部４０と接触されている。また、環状部３３における筐体２００の外壁面２００ｂと対向する環状下面３３ａはｘ−ｚ平面に沿う平面形状をなし、Ｏリング３４と接触している。図１に示すように、環状部３３の外径は、基準線ＢＬに沿い、連通孔２０１から筐体２００の外部に向かう方向（以下、外方向と示す）において、所定距離一定となった後、徐々に短くなっている。そのため、環状部３３の外環面３３ｂの一部は、外方向において外径が短くなるように、傾斜している。
【００２６】
Ｏリング３４は、筒部３１を連通孔２０１に固定しつつ、表面粗さに起因する、筒部３１の外側面３１ａと連通孔２０１の壁面２０１ａとの間の微小な隙間をシールするものである。本実施形態に係るＯリング３４は、防水リング５０よりも、弾性変形し易い材料から成る。
【００２７】
図１に示すように、Ｏリング３４は、環状部３３の環状下面３３ａと、外壁面２００ｂにおける環状下面３３ａとｙ方向にて対向する環状外壁面２００ｃと、筒部３１の外側面３１ａにおける筐体２００の外部に位置する環状外側面３１ｃと、によって構成された環状空間３５に配置されている。そして、Ｏリング３４は、筒部３１が連通孔２０１に挿入され、鉤部３２が内壁面２００ａに接触して撓むことで生じた応力によって、環状部３３と筐体２００とに狭持されている。これにより、筒部３１が連通孔２０１に固定される。また、Ｏリング３４と環状部３３、及び、Ｏリング３４と筐体２００との接触圧力が確保され、外側面３１ａと壁面２０１ａとの間の微小な隙間がシールされる。
【００２８】
保護部４０は、環状部３３とＯリング３４の周囲を囲む環状の側壁４１と、側壁４１が構成する２つの開口部の内、筐体２００から離れた開口部を閉塞する蓋部４２と、を有する。蓋部４２の外面には、防水部材１００の製品情報などが、レーザーなどによって刻まれている。
【００２９】
図１に示すように、側壁４１の外径は一定であり、側壁４１の外環面４１ａはｙ方向に沿っている。これに対して、側壁４１の内径は外方向において、所定距離の間、徐々に短くなった後、一定となっている。そのため、側壁４１の内環面４１ｂの一部は、外方向において内径が短くなるように、傾斜している。また、側壁４１の内環面４１ｂには局所的に凹んだ部位４３が形成されている。側壁４１と蓋部４２とによって、呼吸フィルター１０と環状部３３とを覆うように、保護部４０を環状部３３に挿入すると、局所的に凹んだ部位４３が、環状部３３に嵌合され、保護部４０が筒部３１に固定される。これにより、呼吸フィルター１０が保護部４０によって保護される。なお、上記した環状部３３が、特許請求の範囲に記載の第１環状部に相当し、側壁４１が、特許請求の範囲に記載の第２環状部に相当する。したがって、環状部３３と側壁４１とが、特許請求の範囲に記載の環状部に相当する。
【００３０】
図１に示すように、側壁４１には通気孔４４が形成されている。そのため、筐体２００の内部と外部が、通気孔４４、呼吸フィルター１０、及び、筒部３１を介して連通可能となっている。通気孔４４は、挿通部３０側に開口する開口部と、外部雰囲気に開口する開口部とを有し、挿通部３０側に開口する開口部は、通気孔４４の軸方向において、挿通部３０と対向している。
【００３１】
また、側壁４１における外壁面２００ｂとの対向面４１ｃ、及び、外壁面２００ｂにおける側壁４１との対向面２００ｄによって、ｘ−ｚ平面において環状を成す隙間（以下、環状隙間４５と示す）が構成されている。上記したように、筒部３１が連通孔２０１に挿入されると、Ｏリング３４が環状部３３と筐体２００とに狭持され、Ｏリング３４がｙ方向に拉げる。この拉げにより、Ｏリング３４と環状部３３、及び、Ｏリング３４と筐体２００との接触圧力が確保され、外側面３１ａと壁面２０１ａとの間の微小な隙間がシールされる。この際、保護部４０と筐体２００とが接触すると、Ｏリング３４がｙ方向に十分に拉げ難くなる。このため、上記したように、対向面４１ｃ、２００ｄによって環状隙間４５を構成し、Ｏリング３４のｙ方向への拉げ量を確保している。ちなみに、環状隙間４５と環状空間３５とは、連通されている。
【００３２】
防水リング５０は、本実施形態に係る防水部材１００の特徴点である。防水リング５０は、環状空間３５を閉塞し、Ｏリング３４を外部雰囲気から隔離するためのものである。本実施形態では、防水リング５０は、Ｏリング３４よりも、水によって劣化し難い材料から成る。
【００３３】
図１に示すように、防水リング５０は円環状となっており、環状隙間４５よりも、基準線ＢＬから遠ざかる方向に位置している。そして、防水リング５０は、外壁面２００ｂと外環面４１ａそれぞれと接触して、弾性変形している。この自身が拉げることによって生じる応力（弾性変形により生じる応力であって、以下、復元力と示す）によって、防水リング５０は、設置部材２０（保護部４０）と筐体２００とに固定されている。これにより、環状隙間４５が、防水リング５０によって閉塞され、環状隙間４５と連通されている環状空間３５も閉塞される。換言すれば、環状隙間４５と連通されている環状空間３５の環状の開口部が、防水リング５０によって閉塞される。この結果、環状空間３５に配置されたＯリング３４が外部雰囲気から隔離される。
【００３４】
次に、本実施形態に係る防水部材１００の作用効果を説明する。上記したように、防水リング５０により環状空間３５の開口部が閉塞され、環状空間３５に設置されたＯリング３４が外部雰囲気から隔離されている。これにより、Ｏリング３４と水との接触が抑制され、Ｏリング３４の劣化が抑制される。このため、Ｏリング３４と環状下面３３ａ、及び、Ｏリング３４と外壁面２００ｂとの接触が緩まることが抑制される。この結果、表面粗さに起因する、外側面３１ａと壁面２０１ａとの間の微小な隙間を介して、筐体２００の内部に水が浸入することが抑制され、防水性の低下が抑制される。
【００３５】
環状空間３５の開口部が防水リング５０によって閉塞されている。そのため、環状空間３５の開口部を閉塞するための部材（防水壁）を筐体２００に形成しなくともよくなる。したがって、防水壁が筐体に形成された構成とは異なり、本発明に記載の防水部材１００が適用される筐体２００の形状が限定されなくなる。
【００３６】
防水リング５０は、Ｏリング３４よりも、水によって劣化し難い材料から成る。これによれば、防水リングがＯリングよりも劣化し易い材料から成る構成と比較して、防水リング５０の劣化が抑制される。これにより、防水リング５０が、外環面４１ａと外壁面２００ｂそれぞれから離れることが抑制される。この結果、Ｏリング３４と水との接触が抑制され、Ｏリング３４の劣化による、防水性の低下が抑制される。
【００３７】
Ｏリング３４は、防水リング５０よりも、弾性変形し易い材料から成る。これによれば、Ｏリングが防水リングよりも弾性変形し難い材料から成る構成と比較して、Ｏリング３４が、筐体２００及び挿通部３０により狭持された際に、弾性変形し易くなる。このため、外側面３１ａと壁面２０１ａとの間の微小な隙間のシール性が高まる。この結果、外側面３１ａと壁面２０１ａとの間の微小な隙間を介して、筐体２００の内部に水が浸入することが抑制され、防水性の低下が抑制される。
【００３８】
通気孔４４における挿通部３０側に開口する開口部が、通気孔４４の軸方向において、挿通部３０と対向している。これによれば、通気孔４４に浸入した水が、直接呼吸フィルター１０に当たることが抑制される。これにより、呼吸フィルター１０の破損による防水性の低下が抑制される。
【００３９】
鉤部３２における筐体２００と対向する対向面３２ａは、ｘ−ｚ平面に沿う平面形状を成し、筐体２００の内壁面２００ａと面接触している。これによれば、鉤部と内壁面とが線接触している構成と比較して、外部応力などによって、鉤部３２が筐体２００から離れ難くなる。
【００４０】
鉤部３２の外環面は、内方向において、外径が短くなるように、傾斜している。そのため、筒部３１を連通孔２０１に挿入する際、鉤部３２を連通孔２０１に挿入し易い。これにより、連通孔２０１への挿通部３０の組みつけが容易となる。
【００４１】
環状部３３の外環面３３ｂは、外方向において外径が短くなるように傾斜している。また、側壁４１の内環面４１ｂは、外方向において内径が短くなるように傾斜している。そのため、保護部４０を挿通部３０に固定する際、環状部３３を側壁４１の局所的に凹んだ部位４３に嵌合し易い。これにより、挿通部３０への保護部４０の組みつけが容易となる。
【００４２】
（第２実施形態）
次に、本発明の第２実施形態を、図２に基づいて説明する。第２実施形態に係る防水部材１００は、第１実施形態によるものと共通するところが多いので、以下、共通部分については詳しい説明を省略し、異なる部分を重点的に説明する。以下においては、第１実施形態で示した要素と同一の要素には、同一の符号を付与している。
【００４３】
第１実施形態では、図１に示すように、側壁４１における外壁面２００ｂとの対向面４１ｃ、及び、外壁面２００ｂにおける側壁４１との対向面２００ｄによって、環状空間３５と連通された環状隙間４５が構成された例を示した。これに対し、本実施形態では、図２に示すように、側壁４１の対向面４１ｃが筐体２００の対向面２００ｄと接触し、環状隙間４５が生じない構成となっている。更に、本実施形態では、側壁４１における、筐体２００側の端部の外縁部に、外壁面２００ｂと接触する鍔部４６が設けられている。鍔部４６は、環状を成し、自身の内環面が側壁４１の筐体２００側の端部に連結されている。そして、鍔部４６における外壁面２００ｂとの接触面４６ａは、ｘ−ｚ平面に沿う平面形状を成し、内壁面２００ａと面接触している。防水リング５０は、鍔部４６における接触面４６ａの裏面４６ｂ、及び、外環面４１ａそれぞれと接触して、自身が拉げることによって生じた復元力によって、保護部４０（側壁４１と鍔部４６）に固定されている。また、上記した防水リング５０の復元力によって、側壁４１の対向面４１ｃ、及び、鍔部４６の接触面４６ａそれぞれと外壁面２００ｂとの接触圧力が、確保されている。
【００４４】
本実施形態では、上記したように、側壁４１の対向面４１ｃ、及び、鍔部４６の接触面４６ａそれぞれが外壁面２００ｂと接触している。そして、防水リング５０の復元力によって、対向面４１ｃ及び接触面４６ａそれぞれと外壁面２００ｂとの接触圧力が確保され、環状隙間４５が生じない構成となっている。これにより、環状空間３５が外部雰囲気から隔離されている。
【００４５】
これによれば、外部から環状空間３５への水の浸入の可能性がある箇所が、鍔部４６と外壁面２００ｂとの接触箇所の１箇所となっている。これに対して、第１実施形態では、図１に示すように、防水リング５０が側壁４１の外環面４１ａと筐体２００の外壁面２００ｂそれぞれに接触することで、環状隙間４５が閉塞されている。そのため、外部から環状空間３５への水の浸入の可能性がある箇所が、防水リング５０と外環面４１ａとの接触箇所、及び、防水リング５０と外壁面２００ｂとの接触箇所の２箇所となっている。したがって、本実施形態に記載の防水部材１００は、第１実施形態に記載の防水部材１００と比べて、環状空間３５への水の浸入箇所が少なくなっており、環状空間３５への水の浸入がより効果的に抑制される。
【００４６】
また、上記したように、鍔部４６と外壁面２００ｂとは面接触している。このため、両者が線接触した構成と比較して、環状空間３５と外部空間とを隔離する距離が長くなり、環状空間３５への水の浸入が抑制される。これにより、Ｏリング３４と水との接触が抑制され、Ｏリング３４の劣化による、防水性の低下が抑制される。
【００４７】
なお、上記した鍔部４６が、特許請求の範囲に記載の第３環状部に相当する。したがって、環状部３３と側壁４１と鍔部４６とが、特許請求の範囲に記載の環状部に相当する。
【００４８】
（第３実施形態）
次に、本発明の第３実施形態を、図３に基づいて説明する。第３実施形態に係る防水部材１００は、第１実施形態によるものと共通するところが多いので、以下、共通部分については詳しい説明を省略し、異なる部分を重点的に説明する。
【００４９】
第１実施形態では、図１に示すように、側壁４１の外径は一定であり、側壁４１の外環面４１ａはｙ方向に沿っている例を示した。これに対し、本実施形態では、図３に示すように、側壁４１の外径は外方向において、所定距離の間、徐々に長くなった後、一定となっている。そのため、側壁４１の外環面４１ａの一部は、外方向において外径が長くなるように、傾斜している。換言すれば、側壁４１の外環面４１ａの一部は、外径が筐体２００に向かうに従って短くなるように、傾斜している。本実施形態では、この外環面４１ａの傾斜した部分が、防水リング５０と接触している。
【００５０】
これによれば、防水リング５０を側壁４１に押し付ける方向の高圧水が防水リング５０に当たると、防水リング５０と接触する外環面４１ａの傾斜のために、防水リング５０は、外環面４１ａに向かう方向、及び、外環面４１ａの傾斜に沿って筐体２００の外壁面２００ｂへと向かう方向それぞれに押し付けられる。このため、防水リング５０が、外環面４１ａと外壁面２００ｂそれぞれから離れることが抑制される。これにより、Ｏリング３４と水との接触が抑制され、Ｏリング３４の劣化による、防水性の低下が抑制される。
【００５１】
なお、本実施形態では、図３に示すように、保護部４０が、側壁４１と蓋部４２とを有する例を示した。しかしながら、図４に示すように、保護部４０が、側壁４１と蓋部４２の他に、第２実施形態で示した鍔部４６を有する構成を採用することもできる。
【００５２】
これによれば、防水リング５０を側壁４１に押し付ける方向の高圧水が防水リング５０に当たると、防水リング５０と接触する外環面４１ａの傾斜のために、防水リング５０は、外環面４１ａに向かう方向、及び、外環面４１ａの傾斜に沿って鍔部４６の裏面４６ｂへと向かう方向それぞれに押し付けられる。このため、防水リング５０が、保護部４０の外環面４１ａと裏面４６ｂそれぞれから離れることが抑制される。
【００５３】
（第４実施形態）
次に、本発明の第４実施形態を、図５に基づいて説明する。第４実施形態に係る防水部材１００は、第３実施形態によるものと共通するところが多いので、以下、共通部分については詳しい説明を省略し、異なる部分を重点的に説明する。
【００５４】
第３実施形態では、図３に示すように、防水リング５０と側壁４１の外環面４１ａとが線接触している例を示した。これに対し、本実施形態では、防水リング５０と外環面４１ａとが面接触している。図５に示すように、外環面４１ａにおける防水リング５０との接触面は凹となっており、防水リング５０における外環面４１ａとの接触面は、外環面４１ａにおける防水リング５０との接触面側に向かって凸となっている。そして、外環面４１ａにおける凹、及び、防水リング５０における凸は同一形状になっている。
【００５５】
このように、防水リング５０と側壁４１の外環面４１ａは面接触している。このため、防水リングと外環面が線接触している構成と比較して、防水リング５０と外環面４１ａとの接触面積が大きい。これにより、外環面４１ａに沿う高圧水が防水リング５０に印加された際、防水リング５０と側壁４１それぞれに働く摩擦力が大きくなる。この摩擦により、防水リング５０が外環面４１ａから離れることが抑制される。この結果、Ｏリング３４と水との接触が抑制され、Ｏリング３４の劣化による、防水性の低下が抑制される。
【００５６】
さらに、本実施形態では、防水リング５０と外側面４１ａとの接触面における凹凸により、防水リング５０と外環面４１ａとにアンカー効果が生じる。この結果、防水リング５０が外環面４１ａから離れることが抑制される。これにより、Ｏリング３４と水との接触が抑制され、Ｏリング３４の劣化による、防水性の低下が抑制される。
【００５７】
なお、本実施形態では、外環面４１ａにおける防水リング５０との接触面が凹となっており、防水リング５０における外環面４１ａとの接触面が凸となっている例を示した。しかしながら、図６に示すように、外環面４１ａにおける防水リング５０との接触面が凸となっており、防水リング５０における外環面４１ａとの接触面が凹となっている構成を採用することもできる。
【００５８】
本実施形態では、図５に示すように、防水リング５０が円環状となっており、防水リング５０と外壁面４１ａは、それぞれに形成された凹凸に沿って面接触している例を示した。しかしながら、図７に示すように、防水リング５０は、外環面４１ａとの対向面が、外環面４１ａにおける防水リング５０との対向面と同一形状となっている半円環状であり、外環面４１ａと面接触している構成を採用することもできる。この場合、防水リング５０と外側面４１ａとの接触面には、凹凸が形成されていないため、両者にアンカー効果は生じない。しかしながら、防水リング５０と外壁面４１ａとが面接触していることにより、両者が線接触している構成と比較して、両者に働く摩擦力が大きくなる。そのため、防水リング５０が外環面４１ａから離れることが抑制される。
【００５９】
本実施形態では、図５に示すように、保護部４０が、側壁４１と蓋部４２とを有する例を示した。しかしながら、図８に示すように、保護部４０が、側壁４１と蓋部４２の他に、第２実施形態で示した鍔部４６を有する構成を採用することもできる。
【００６０】
これによれば、防水リング５０と外壁面４１ａとの面接触により、防水リング５０が外環面４１ａから離れることが抑制される。この結果、防水リング５０が鍔部４６から離れることが抑制され、防水リング５０の拉げにより生じる応力が、鍔部４６に印加され難くなることが抑制される。
【００６１】
さらに、防水リング５０と外環面４１ａの接触面の凹凸によって生じるアンカー効果によって、防水リング５０が外環面４１ａから離れることが抑制される。この結果、防水リング５０が鍔部４６から離れることが抑制され、防水リング５０の拉げによって生じる応力が、鍔部４６に印加され難くなることが抑制される。
【００６２】
以上により、図８に示す構成の場合、鍔部４６と外壁面２００ｂとの接触が緩むことが抑制される。これにより、Ｏリング３４と水との接触が抑制され、Ｏリング３４の劣化による、防水性の低下が抑制される。
【００６３】
（第５実施形態）
次に、本発明の第５実施形態を、図９に基づいて説明する。第５実施形態に係る防水部材１００は、第４実施形態によるものと共通するところが多いので、以下、共通部分については詳しい説明を省略し、異なる部分を重点的に説明する。
【００６４】
第４実施形態では、図５に示すように、側壁４１の外径は外方向において、所定距離の間、徐々に長くなった後、一定となっている例を示した。これに対し、本実施形態では、図９に示すように、側壁４１の外径は外方向において、所定距離の間、徐々に長くなった後、徐々に短くなっている。つまり、側壁４１における環状部３３との嵌合部位（防水リング５０との接触部位）から外方向に延びた部位の外環面４１ａは、外径が筐体２００から離れるに従って短くなるように、傾斜している。
【００６５】
これによれば、側壁４１における環状部３３との嵌合部位から外方向に延びた部位の外径が一定であり、外環面４１ａがｙ軸に沿っている構成と比較して、外環面４１ａを流れる水が防水部材１００から離れる方向へと流れ易くなる。これにより、防水部材１００に留まる水の量が少なくなり、Ｏリング３４と水との接触が抑制される。この結果、Ｏリング３４の劣化による、防水性の低下が抑制される。
【００６６】
なお、本実施形態では、図９に示すように、保護部４０が、側壁４１と蓋部４２とを有する例を示した。しかしながら、図１０に示すように、保護部４０が、側壁４１と蓋部４２の他に、第２実施形態で示した鍔部４６を有する構成を採用することもできる。
【００６７】
（第６実施形態）
次に、本発明の第６実施形態を、図１１に基づいて説明する。第６実施形態に係る防水部材１００は、第５実施形態によるものと共通するところが多いので、以下、共通部分については詳しい説明を省略し、異なる部分を重点的に説明する。
【００６８】
第５実施形態では、図９に示すように、防水リング５０の一部が、ｙ方向において、側壁４１の外環面４１ａと対向している例を示した。これに対し、本実施形態では、図１１に示すように、側壁４１の外径が、防水リング５０の外径よりも長くなっており、防水リング５０の全てが、ｙ方向において、側壁４１の外環面４１ａと対向している。
【００６９】
これによれば、ｙ方向に沿って防水部材１００へ流動する水が、側壁４１に当たるので、防水リング５０と水との接触が抑制される。これにより、水による防水リング５０の劣化が抑制される。
【００７０】
また、ｙ方向に沿って防水部材１００へ流動する水が側壁４１に当たると、側壁４１を筐体２００に向かって流れる水が、防水部材１００から離れる方向へと流れ易くなる。これにより、防水部材１００に留まる水の量が少なくなる。
【００７１】
以上により、Ｏリング３４と水との接触が抑制され、Ｏリング３４の劣化が抑制される。この結果、防水性の低下が抑制される。
【００７２】
なお、本実施形態では、図１１に示すように、保護部４０が、側壁４１と蓋部４２とを有する例を示した。しかしながら、図１２に示すように、保護部４０が、側壁４１と蓋部４２の他に、第２実施形態で示した鍔部４６を有する構成を採用することもできる。
【００７３】
（第７実施形態）
次に、本発明の第７実施形態を、図１３に基づいて説明する。第７実施形態に係る防水部材１００は、第６実施形態によるものと共通するところが多いので、以下、共通部分については詳しい説明を省略し、異なる部分を重点的に説明する。
【００７４】
本実施形態では、図１３に示すように、側壁４１の外環面４１ａには、環状の庇４７が設けられている。これによれば、外環面に環状の庇が設けられていない構成と比較して、側壁４１を筐体２００に向かって流れる水が、防水部材１００から離れる方向へと流れ易くなる。これにより、防水部材１００に留まる水の量が少なくなり、Ｏリング３４と水との接触が抑制される。この結果、Ｏリング３４の劣化による、防水性の低下が抑制される。
【００７５】
なお、本実施形態では、図１３に示すように、保護部４０が、側壁４１と蓋部４２とを有する例を示した。しかしながら、図１４に示すように、保護部４０が、側壁４１と蓋部４２の他に、第２実施形態で示した鍔部４６を有する構成を採用することもできる。
【００７６】
また、図１４に示すように、ｙ方向において、防水リング５０の全てが側壁４１と庇４７とに対向する構成を採用することもできる。
【００７７】
（第８実施形態）
次に、本発明の第８実施形態を、図１５に基づいて説明する。第８実施形態に係る防水部材１００は、第７実施形態によるものと共通するところが多いので、以下、共通部分については詳しい説明を省略し、異なる部分を重点的に説明する。
【００７８】
第１〜７実施形態では、図１〜図１４に示すように、防水リング５０が円環状または半円環状である例を示した。これに対して、本実施形態では、図１５に示すように、防水リング５０は、３つの環状面５０ａ〜５０ｃから構成される三角形環状をなしている。第１環状面５０ａは筐体２００の外壁面２００ｂに面接触し、第２環状面５０ｂは側壁４１の外壁面４１ａに面接触している。そして、第３環状面５０ｃは、外部環境に晒されている。この第３環状面５０ｃが特許請求の範囲に記載の防水リングの外面に相当する。図１５に示すように、第３環状面５０ｃは、筐体２００の外壁面２００ｂに向かい、且つ、連通孔２０１から離れるように傾斜している。
【００７９】
これによれば、側壁４１を筐体２００に向かって流れる水が、側壁４１の外環面４１ａから防水リング５０の第３環状面５０ｃを伝って、防水部材１００から遠ざかる方向に流れ易くなる。このため、防水部材１００に留まる水の量が少なくなる。これにより、Ｏリング３４と水との接触が抑制され、Ｏリング３４の劣化による、防水性の低下が抑制される。
【００８０】
また、防水リング５０の第２環状面５０ｂが外壁面２００ｂと面接触している。このため、防水リングが、外壁面に線接触している構成と比較して、防水リング５０と外壁面２００ｂの接触面積が大きい。これにより、外壁面２００ｂに沿う高圧水が防水リング５０に印加された際、防水リング５０と筐体２００それぞれに働く摩擦力が大きくなる。この摩擦により、防水リング５０が筐体２００から離れることが抑制される。これにより、Ｏリング３４と水との接触が抑制され、Ｏリング３４の劣化による、防水性の低下が抑制される。
【００８１】
なお、本実施形態では、図１５に示すように、保護部４０が、側壁４１と蓋部４２とを有する例を示した。しかしながら、図１６に示すように、保護部４０が、側壁４１と蓋部４２の他に、第２実施形態で示した鍔部４６を有する構成を採用することもできる。この構成では、第３環状部５０ｃが、鍔部４６の裏面４６ｂと面接触している。
【００８２】
本実施形態では、側壁４１の外径は一定であり、側壁４１の外環面４１ａはｙ方向に沿っている例を示した。しかしながら、図１７に示すように、側壁４１の外径が外方向において、所定距離の間、徐々に長くなった後、一定となっており、側壁４１の外環面４１ａの一部は、外方向において外径が長くなるように、傾斜している構成を採用することができる。この構成においても、この外環面４１ａの傾斜した部分と、防水リング５０の第２環状面５０ｂとが面接触している。この場合、本実施形態の作用効果に加えて、第３実施形態に記載の防水部材１００と同等の作用効果を奏する。
【００８３】
上記の構成に加えて、図１８に示すように、保護部４０が、側壁４１と蓋部４２の他に、第２実施形態で示した鍔部４６を有する構成を採用することもできる。この構成では、第３環状部５０ｃが、鍔部４６の裏面４６ｂと面接触している。
【００８４】
図１８に示す変形例では、防水リング５０が三角形環状をなし、防水リング５０と裏面４６ｂとが面接触している。しかしながら、保護部４０が、側壁４１と蓋部４２の他に、第２実施形態で示した鍔部４６を有する構成においては、防水リング５０が円環状を成している構成においても、鍔部４６の形状を加工することで、防水リング５０と鍔部４６とを面接触させることができる。すなわち、図１９に示すように、裏面４６ｂにおける防水リング５０との接触面は凹となっており、防水リング５０における裏面４６との接触面は、裏面４６ｂにおける防水リング５０との接触面側に向かって凸となっている。そして裏面４６ｂにおける凹、及び、防水リング５０における凸は同一形状になっている。
【００８５】
これによれば、防水リング５０と裏面４６ｂとの面接触により、防水リング５０が裏面４６ｂから離れることが抑制される。この結果、防水リング５０が裏面４６ｂから離れることが抑制され、防水リング５０の復元力が、鍔部４６に印加され難くなることが抑制される。したがって、鍔部４６と外壁面２００ｂとの接触が緩むことが抑制される。これにより、Ｏリング３４と水との接触が抑制され、Ｏリング３４の劣化による、防水性の低下が抑制される。
【００８６】
さらに、防水リング５０と裏面４６ｂの接触面の凹凸によって生じるアンカー効果によって、防水リング５０が裏面４６ｂから離れることが抑制される。この結果、防水リング５０が裏面４６ｂから離れることが抑制され、防水リング５０の復元力が、鍔部４６に印加され難くなることが抑制される。したがって、裏面４６ｂと外壁面２００ｂとの接触が緩むことが抑制される。これにより、Ｏリング３４と水との接触が抑制され、Ｏリング３４の劣化による、防水性の低下が抑制される。
【００８７】
なお、図７，８，１１〜１４においては、防水リング５０は円環状または半円環状となっているが、防水リング５０の外面５０ｄの一部は、筐体２００の外壁面２００ｂに向かい、且つ、連通孔２０１から離れるように傾斜している。上記した各図に示されるように、防水リング５０の外部環境に晒される外面５０ｄと、防水リング５０の側壁４１との接触面とによって、複数の境界が成されている。この複数の境界の内、最も筐体２００から離れた境界５０ｅにおける、ｘ−ｙ平面に沿う外面５０ｄの接線５０ｆ（上記した各図に一点差線で示す接線）は、筐体２００の外壁面２００ｂに向かい、且つ、連通孔２０１から離れるように傾斜している。これにより、防水リング５０の外面５０ｄは、境界５０ｅから所定距離、筐体２００の外壁面２００ｂに向かい、且つ、連通孔２０１から離れるように傾斜している。
【００８８】
これによれば、本実施形態で示した防水リング５０が三角形環状をなす構成と同様に、側壁４１を筐体２００に向かって流れる水が、側壁４１の外環面４１ａから防水リング５０の外面５０ｄを伝って、防水部材１００から遠ざかる方向に流れ易い。このため、防水部材１００に留まる水の量が少なくなる。これにより、Ｏリング３４と水との接触が抑制され、Ｏリング３４の劣化による、防水性の低下が抑制される。
【００８９】
以上、本発明の好ましい実施形態について説明したが、本発明は上記した実施形態になんら制限されることなく、本発明の主旨を逸脱しない範囲において、種々変形して実施することが可能である。
【００９０】
参考として、上記した、第１〜８実施形態に記載の防水部材１００の特徴点を含んだ防水部材１００を図２０に示す。この防水部材１００では、言うまでもないが、第１〜８実施形態おける作用効果を奏する。
【００９１】
各実施形態は、防水リング５０が、保護部４０に接触している例を示した。しかしながら、図２１に示すように、防水リング５０が、挿通部３０と接触している構成を採用することができる。この構成では、挿通部３０は、３１〜３５の他に、環状側壁３６を有する。環状側壁３６は、環状部３３の外環面３３ｂに自身の内環面が連結され、環状部３３との連結部位から筐体２００に近づく方向に延びた筒状を成す（図２１では便宜上、環状部３３と環状側壁３６の境界を破線で示している）。防水リング５０は、外壁面２００ｂと環状側壁３６の外環面３６ａそれぞれと接触して、自身が拉げることによって生じる復元力によって、設置部材２０（挿通部３０）と筐体２００とに固定される。これにより、環状空間３５の開口部が、防水リング５０によって閉塞される。
【００９２】
また、環状側壁３６の外環面３６ａにおける傾斜している部分には、局所的に凸となり、突起３６ｂが形成されている。この突起３６ｂは凹んだ部位４３に嵌合される。この構成では、側壁４１は外壁面２００ｂに対向しておらず、環状側壁３６の端面が外壁面２００ｂと対向することにより、環状隙間４５が構成される。ちなみに、上記した環状部３３が、特許請求の範囲に記載の第１環状部に相当し、環状側壁３６が、特許請求の範囲に記載の第２環状部に相当する。したがって、環状部３３と環状側壁３６とが、特許請求の範囲に記載の環状部に相当する。
【００９３】
上記の構成に加えて、図２２に示すように、環状側壁３６における外壁面２００ｂとの対向面が外壁面２００ｂと接触し、環状側壁３６における、筐体２００側の端部の外縁部に、環状鍔部３７が設けられた構成を採用することができる。この構成では、環状鍔部３７は、環状を成しており、自身の内環面が環状側壁３６に連結されている。このとき、防水リング５０は、環状鍔部３７における、外壁面２００ｂとの接触面３７ａの裏面３７ｂと、環状側壁３６の外壁面３６ａそれぞれと接触して、自身が拉げることによる復元力によって、挿通部３０（環状側壁３６と環状鍔部３７）に固定されている。また、環状鍔部３７における外壁面２００ｂとの接触面３７ａは、ｘ−ｚ平面に沿う平面形状を成しており、防水リングの拉げにより生じる復元力によって、外壁面２００ｂと面接触している。なお、この構成においては、上記した環状鍔部３７が、特許請求の範囲に記載の第３環状部に相当する。したがって、環状部３３と環状側壁３６と環状鍔部３７とが、特許請求の範囲に記載の環状部に相当する。この場合、第２実施形態に記載の防水部材１００と同等の作用効果を奏する。
【００９４】
各実施形態では、筐体２００における、連通孔２０１を形成している部位が、連通孔２０１から遠ざかる方向に延びた部位よりもｙ方向において長い形状となっている。しかしながら、筐体２００の形状は限定されず、筐体２００と環状部３３と鉤部３２とによってＯリング３４が狭持される形状であればよく、例えば、図１に示す構成とは異なり、図２３に示すように、連通孔２０１を形成している部位のｙ方向における厚さが一定の形状を採用することができる。
【符号の説明】
【００９５】
１０・・・呼吸フィルター、２０・・・設置部材、３１・・・筒部、３１ａ・・・外側面
３１ｃ・・・環状外側面、３２・・・鉤部、３３、３６、３７、４１、４６・・・環状部
３３ａ・・・環状下面、４１ａ、３６ａ・・・外環面、３４・・・Ｏリング、３５・・・環状空間
５０・・・防水リング、１００・・・防水部材、２００・・・筐体、２００ａ・・・内壁面
２００ｂ・・・外壁面、２００ｃ・・・環状外壁面、２０１・・・連通孔、２０１ａ・・・壁面
【図１】
2014123625.tif 000003
【図２】
2014123625.tif 000004
【図３】
2014123625.tif 000005
【図４】
2014123625.tif 000006
【図５】
2014123625.tif 000007
【図６】
2014123625.tif 000008
【図７】
2014123625.tif 000009
【図８】
2014123625.tif 000010
【図９】
2014123625.tif 000011
【図１０】
2014123625.tif 000012
【図１１】
2014123625.tif 000013
【図１２】
2014123625.tif 000014
【図１３】
2014123625.tif 000015
【図１４】
2014123625.tif 000016
【図１５】
2014123625.tif 000017
【図１６】
2014123625.tif 000018
【図１７】
2014123625.tif 000019
【図１８】
2014123625.tif 000020
【図１９】
2014123625.tif 000021
【図２０】
2014123625.tif 000022
【図２１】
2014123625.tif 000023
【図２２】
2014123625.tif 000024
【図２３】
2014123625.tif 000025